(57)【特許請求の範囲】
【請求項１】
作用電極部（２）と補助電極部（３）とを備え、
美容用液が塗布された指先に前記作用電極部（２）が接触された状態で、該作用電極部（２）と前記補助電極部（３）により指先の肌面に電流を供給することにより、該指先の肌面のケアを行うように構成されており、
前記補助電極部（３）を備える本体部（４）が、前記作用電極部（２）が接触される指先と同じ側の手足に装着可能に構成されており、
前記本体部（４）の裏側面に前記補助電極部（３）が形成されており、手足に装着した状態で該補助電極部（３）が肌面に接触するように構成されており、
前記補助電極部（３）が前記本体部（４）に対して弾性的に支持されていることを特徴とするスキンケア用器具。
【請求項２】
前記作用電極部（２）が、各指先に装着可能な有底筒状に形成されている、請求項１記載のスキンケア用器具。
【請求項３】
作用電極部（２）と補助電極部（３）とを備え、
美容用液が塗布された指先に前記作用電極部（２）が接触された状態で、該作用電極部（２）と前記補助電極部（３）により指先の肌面に電流を供給することにより、該指先の肌面のケアを行うように構成されており、
前記補助電極部（３）を備える本体部（４）が、前記作用電極部（２）が接触される指先と同じ側の手足に装着可能に構成されており、
前記作用電極部（２）が、各指先に装着可能な有底筒状に形成されており、該作用電極部（２）と前記本体部（４）との間に引張り弾性体が設けられていることを特徴とするスキンケア用器具。
【請求項４】
前記作用電極部（２）と前記本体部（４）との間に給電リード（１５）が設けられており、
前記引張り弾性体が前記給電リード（１５）を兼ねている、請求項３記載のスキンケア用器具。
【請求項５】
作用電極部（２）と補助電極部（３）とを備え、
美容用液が塗布された指先に前記作用電極部（２）が接触された状態で、該作用電極部（２）と前記補助電極部（３）により指先の肌面に電流を供給することにより、該指先の肌面のケアを行うように構成されており、
前記作用電極部（２）が、手袋状に形成されており、
手袋状の前記作用電極部（２）が、手の平側をカバーする裏面部（２３）と、手の甲側をカバーする表面部（２４）とを備えており、
前記表面部（２４）に、手の甲が露出する切欠部（２６）が形成されていることを特徴とするスキンケア用器具。
【請求項６】
前記切欠部（２６）に連続して、手指の付け根部分を露出する延出切欠部（２７）が形成されている、請求項５記載のスキンケア用器具。
【請求項７】
前記作用電極部（２）が、通気性の無い導電性面構成体を素材として構成されている、請求項５または６に記載のスキンケア用器具。
【請求項８】
前記作用電極部（２）が、弾性を有する導電性面構成体を素材として構成されている、請求項５乃至７のいずれかひとつに記載のスキンケア用器具。
【請求項９】
作用電極部（２）と補助電極部（３）とを備え、
美容用液が塗布された指先に前記作用電極部（２）が接触された状態で、該作用電極部（２）と前記補助電極部（３）により指先の肌面に電流を供給することにより、該指先の肌面のケアを行うように構成されており、
前記作用電極部（２）と前記補助電極部（３）とを有する本体ケース（５）と、該本体ケース（５）内に設けられて前記作用電極部（２）と前記補助電極部（３）に電流を供給する電流供給部（７）とを備え、
前記本体ケース（５）の外面に、手指先を挿入するための穴部（４７）が設けられ、該穴部（４７）の内面に前記作用電極部（２）が設けられており、
前記本体ケース（５）の上面に、前記補助電極部（３）が突出状に形成されており、
前記補助電極部（３）の周囲に、前記穴部（４７）が形成されていることを特徴とするスキンケア用器具。
【請求項１０】
前記補助電極部（３）が、前記本体ケース（５）の上面に対して上下動可能に構成されている、請求項９記載のスキンケア用器具。
【請求項１１】
前記本体ケース（５）には、前記作用電極部（２）および補助電極部（３）への通電状態をオン・オフするスイッチ（４５）が設けられており、
前記補助電極部（３）の上下動により、前記スイッチ（４５）がオン・オフ操作されるように構成されている、請求項１０記載のスキンケア用器具。
【請求項１２】
前記作用電極部（２）の内部に含液シート（Ｍ）が設けられている、請求項９乃至１１のいずれかひとつに記載のスキンケア用器具。
【請求項１３】
前記作用電極部（２）と前記含液シート（Ｍ）とが分離可能に構成されている、請求項１２記載のスキンケア用器具。
【発明の詳細な説明】
【技術分野】
【０００１】
本発明は、手足の肌面のケアを行うスキンケア用器具に関する。
【背景技術】
【０００２】
所謂「電気療法」と称される電気エネルギーを用いた療法は、美容医療の分野等において広く公知である。また、当該療法を行うための器具や装置についても種々の形態が開発されている。例えば特許文献１に記載の電子式美容装置は、エステサロン等で使用されるものであり、施術者の左右夫々の手に装着される嵌着部材と、両嵌着部材の間に施術用の電圧を印加する電圧供給部とを備える。この特許文献１に記載の電子式美容装置では、電圧供給部を作動させた状態で施術者が被施術者に対してマッサージを行うことにより、左右夫々の手に装着された嵌着部材を介して被施術者の人体肌面に微弱電流を流すことができる。
【先行技術文献】
【特許文献】
【０００３】
【特許文献１】登録実用新案第３１３１１１９号公報（図１）
【発明の概要】
【発明が解決しようとする課題】
【０００４】
上記のように、特許文献１に記載の電子式美容装置によれば、施術者の手に装着された嵌着部材を介して、被施術者の人体肌面に微弱電流を流すことができるので、施術者によるマッサージ効果に加えて、イオン化された水溶液のイオン導入効果が期待できる。しかし、特許文献１の電子式美容装置は施術者の手に嵌着部材を装着した状態で使用されるものであり、換言すれば、施術者が被施術者に対してマッサージを行う際に使用されるものであるため、当該電子式美容装置は、エステサロン等で使用される美容装置としては有用ではあるが、自宅等において自分で行う美容器具（セルフスキンケア用の美容器具）として不適である。
【０００５】
加えて、特許文献１の美容装置では、嵌着部材は施術者の指の付け根に装着されるものとなっているため、当該装置を使って使用者が指先のスキンケアを効果的に行うことはできない。すなわち、本発明者等は、指先のスキンケア（より詳しくは、「セルフスキンケア」）を効果的に行うことができる美容器具の開発に携わっているが、特許文献１に記載の美容装置では、電極となる嵌着部材は施術者の指の付け根に装着されるものとなっているため、当該特許文献１に記載の美容装置をセルフスキンケア用の美容器具に適用した場合には、指先の肌面に電流を効率的に供給することはできず、当該装置を使って指先のスキンケアを効果的に行うことは不可能である。
【０００６】
本発明の目的は、以上のような従来のスキンケア用器具の抱える問題を解決するためになされたものであり、使用者自身の手で、より効率的且つ確実に使用者の指先に対するスキンケアを行うことができる美容器具（スキンケア用器具）を提供することにある。
【課題を解決するための手段】
【０００７】
本発明に係るスキンケア用器具は、作用電極部２と補助電極部３とを備え、美容用液が塗布された指先に前記作用電極部２が接触された状態で、該作用電極部２と前記補助電極部３により指先の肌面に電流を供給することにより、該指先の肌面のケアを行うように構成されていることを特徴とする。
本発明における「指」とは、手指、或いは足指を意味する。同様に、本発明における「指先」には、手指先のみならず、足指先も含まれる。
本発明における「美容用液」とは化粧水、或いは美容液と称されるものである。すなわち本発明における「美容用液」とは、保湿成分やビタミンＣ誘導体などの各種美容成分を含み、肌に塗布される導電性の液体を意味する。
また、本発明における「美容用液が塗布された」とは、美容用液が含浸された含液シートを指先に接触させることで、美容用液が指先に塗り付けられる形態のみならず、予め美容用液が塗られた作用電極部２に指先を接触させることで、美容用液が指先に塗り付けられる形態、或いは作用電極部２に美容用液が含浸された含液シートを設け、該含液シートに指先を接触させることで、美容用液が指先に塗り付けられる形態をも意味する。要は、電流供給時に指先の肌面に美容用液が塗り付けられていればよい。
【０００８】
前記作用電極部２は、各指先に装着可能な有底筒状に形成することができる。かかる作用電極部２の素材としては、導電性ゴム、導電性シリコーンゴム、導電性プラスチックなどを挙げることができる。綿、ウールなどの素材に銀などの金属線を縫製したものであってもよい。さらにチタンなどの金属成形品であってもよいが、この場合には、指先との接触部にコットンなどを介在させることが望ましい。
【０００９】
前記補助電極部３を備える本体部４は、前記作用電極部２が接触される指先と同じ側の手足に装着可能に構成することができる。
【００１０】
前記本体部４の裏側面に前記補助電極部３が形成されており、手足に装着した状態で該補助電極部３が肌面に接触するように構成することができる。
【００１１】
前記補助電極部３が前記本体部４に対して弾性的に支持されている形態を採ることができる。
【００１２】
前記本体部４を手足に装着するための装着部１２を有し、該装着部１２が前記補助電極部３を兼ねている形態を採ることができる。
【００１３】
前記作用電極部２が、各指先に装着可能な有底筒状に形成されており、該作用電極部２と前記本体部４との間に引張り弾性体を設けることができる。
【００１４】
前記作用電極部２と前記本体部４との間に給電リード１５が設けられており、前記引張り弾性体が前記給電リード１５を兼ねている形態を採ることができる。
【００１５】
前記作用電極部２は、手袋状、或いは靴下状に形成することができる。
【００１６】
前記作用電極部２は、通気性の無い導電性面構成体を素材として構成することができる。
【００１７】
前記作用電極部２は、弾性を有する導電性面構成体を素材として構成することができる。
【００１８】
手袋状の前記作用電極部２が、手の平側をカバーする裏面部２３と、手の甲側をカバーする表面部２４とを備えており、前記表面部２４に、手の甲が露出する切欠部２６が形成されている形態を採ることができる。
【００１９】
前記切欠部２６に連続して、手指の付け根部分を露出する延出切欠部２７を形成することができる。
【００２０】
前記作用電極部２と前記補助電極部３とを有する本体ケース５と、該本体ケース５内に設けられて前記作用電極部２と前記補助電極部３に電流を供給する電流供給部７とを備え、前記本体ケース５の外面に、手指先を挿入するための穴部４７が設けられ、該穴部４７の内面に前記作用電極部２が設けられている形態を採ることができる。
【００２１】
前記作用電極部２の内部に含液シートＭを設けることができる。
【００２２】
前記作用電極部２と前記含液シートＭとを分離可能に構成することができる。
【００２３】
前記本体ケース５の上面に、前記補助電極部３を突出状に形成し、前記補助電極部３の周囲に、前記穴部４７を形成することができる。
【００２４】
前記補助電極部３は、前記本体ケース５の上面に対して上下動可能に構成することができる。
【００２５】
前記本体ケース５には、前記作用電極部２および補助電極部３への通電状態をオン・オフするスイッチ４５が設けられており、前記補助電極部３の上下動により、前記スイッチ４５がオン・オフ操作されるように構成することができる。
【発明の効果】
【００２６】
本発明に係るスキンケア用器具においては、使用者自身が、その指先を作用電極部２に接触させた状態で、該指先の肌面に電流を供給することにより、指先のスキンケアを行うことができるようにした。従って、本発明は、自宅等で使用されるセルフスキンケア用の美容器具、および指先のスキンケアに特化した美容器具として有用である。
【００２７】
加えて、本発明によれば、美容用液が塗布された指先に作用電極部２が接触する状態で、該作用電極部２を介して電流を供給する形態であるから、イオン化された美容用液の肌面へのイオン導入効果が期待できる。すなわち、指先の肌面に美容用液を確実にイオン導入により浸透させて、該美容用液に由来する保湿効果の向上、或いはトリートメント効果の向上が期待できる。またイオン導出効果により指先の肌面の手穴などに入り込んだ汚れの除去効果も期待できる。以上より、指先に対して、確実にイオン導入・導出を行って、セルフスキンケアを実行できる。
【００２８】
作用電極部２が、各指先に装着可能な有底筒状に形成されていると、作用電極部２を指先に装着した状態で、スキンケア用器具を用いたセルフスキンケアを実行できる。特にセルフスキンケア時に手指先が塞がれることが無く、手指先の自由度を確保しながら手指先に対するセルフスキンケアを実行できる。これにて、例えば、読書等をしながらセルフスキンケアを実行することが可能となり、使い勝手に優れたスキンケア用器具を得ることができる。
【００２９】
補助電極部３を備える本体部が、作用電極部２が接触される指先と同じ側の手に装着可能に構成されていると、作用電極部２と本体部４との間隔距離（電流路）を短くして人体の電気抵抗値を小さくすることができるので、より小さな電流で効率的にイオン導入、或いはイオン導出を進めてセルフスキンケアを実行できる。
【００３０】
本体部４の裏側面に補助電極部３が形成されており、手足に装着した状態で該補助電極部３が肌面に接触するように構成されていると、補助電極部３が本体部４と別体に形成されている形態に比べて、スキンケア用器具１の全体構造の簡素化、および全体形状のコンパクト化に貢献できる。
【００３１】
補助電極部３が本体部４に対して弾性的に支持されていると、弾性力により補助電極部３を使用者の手足に押し付けて密着できるので、使用者の手足に対する補助電極部３の導通状態を安定的に確保することができる。また、弾性力により本体部４と使用者の手足との間に空間を確保し、該空間が小さくなることで適度なクッション性を本体部４に付与することができる。以上のような補助電極部３が本体部４に対して弾性的に支持されている形態としては、補助電極部３と本体部４との間に押しばねであるフロートばね１９を介在させる形態が考えられる。
【００３２】
本体部４を手足に装着するための装着部１２を有し、該装着部１２が補助電極部３を兼ねている形態を採ることができる。具体的には、装着部１２であるベルトに補助電極部３を設けることが考えられる。これによれば、装着部１２と補助電極部３とを別々に設ける形態に比べて、構造の簡素化を図ることができる。また、本体部４の手足に対する装着作業と、補助電極部３を手足に接触させる作業とをワンタッチで行うことができるので、より使い勝手に優れたスキンケア用器具を得ることができる。
【００３３】
作用電極部２が各指先に装着可能な有底筒状に形成されており、該作用電極部２と本体部４との間に引張り弾性体が設けられている形態を採ることができる。これによれば、引張り弾性体の付勢力より、作用電極部２が指先から不用意に抜け外れることを確実に防ぐことができるので、スキンケア用器具１の使い勝手の向上を図ることができる。また、手指先の自由度がより向上するため、読書等をしながらセルフスキンケアを実行することが可能となり、この点でも使い勝手に優れたスキンケア用器具を得ることができる。
【００３４】
引張り弾性体が、作用電極部２と本体部４との間に設けられた給電リード１５を兼ねていると、引張り弾性体と給電リード１５とを別々に設ける形態に比べて、スキンケア用器具の構造の簡素化を図ることができる。また、専用の給電リードを設けない分だけ、手指先の自由度が向上するため、使い勝手に優れたスキンケア用器具を得ることができる。
【００３５】
作用電極部２が手袋状、或いは靴下状に形成されていると、作用電極部２を手指先、或いは足指先に装着した状態で、セルフスキンケアを実行できる。特に、セルフスキンケア時に手指先が塞がれることが無く、手指先の自由度を確保しながら手指先に対するセルフスキンケアを実行できる。これにて、例えば、読書等をしながらセルフスキンケアを実行することが可能となり、使い勝手に優れたスキンケア用器具を得ることができる。また、手の平や手の甲、又は足裏や足の甲に対して、効果的にスキンケアを実行することが可能となる。
【００３６】
作用電極部２が、通気性の無い導電性面構成体を素材として構成されていると、先のイオン導入効果、イオン導出効果、或いはトリートメント効果に加えて、スキンケア時の手指に対する保湿効果が期待できる。
【００３７】
作用電極部２が、弾性を有する導電性面構成体を素材として構成されていると、手指、或いは足指に対する装着性と密着性に優れたスキンケア用器具を得ることができる。また、作用電極部が手指、或いは足指に密着するため、手指、或いは足指に対する保温効果も期待できる。
【００３８】
手袋状の作用電極部２が、手の平側をカバーする裏面部２３と、手の甲側をカバーする表面部２４とを備えており、表面部２４に手の甲の部分を被覆しない切欠部２６が形成されていると、切欠部２６を設けた分だけ、手指先の作用電極部２への挿入が容易となるので、作用電極部２に対する手指の着脱性が向上する。また、作用電極部２の全体を反転させることも容易となるため、作用電極部２の清掃処理が容易となる。なお、作用電極部２の全体を反転させれば、裏面部２３を手の甲側に位置させることができるので、手の甲側のスキンケアも可能である。
【００３９】
切欠部２６に連続して、手指の付け根部分を被覆しない延出切欠部２７が形成されていると、手指先の作用電極部２への挿入動作がより簡単となる。また、作用電極部２の全体の反転も容易となるため、作用電極部２の清掃処理等もより容易となる。
【００４０】
作用電極部２と補助電極部３とを有する本体ケース５と、該本体ケース５内に設けられて作用電極部２と補助電極部３に電流を供給する電流供給部７とを備え、本体ケース５の外面に、手指先を挿入するための穴部４７が設けられ、該穴部４７の内面に作用電極部２が設けられている形態を採ることができる。これによれば、本体ケース５に設けられた穴部４７に手指先を挿入するだけで、手指先に作用電極部２を接触させて、手指先に対してスキンケアを行うことができる。
【００４１】
穴部４７の内面と作用電極部２との間に、含液シートＭが設けられた形態を採ることができる。これによれば、予め含液シートＭに美容用液を含浸させておくことで、該美容用液の肌面へのイオン導入効果、美容用液に由来する保湿効果の向上、或いはトリートメント効果の向上が期待できる。従って、手指先に対して、確実にスキンケアを行うことができる。
【００４２】
作用電極部２と含液シートＭとが分離可能に構成されていると、穴部４７の内面への装着に先立って、含液シートＭに美容用液を含浸させることが可能となる。従って、含液シートＭへ美容用液を過不足無く、確実に含浸させることができる。また、使用後の含液シートＭを取り出して、交換することが容易となり、含液シートＭを常に清潔な状態に維持できる。以上より、スキンケア用器具１を衛生的でクリーンな状態に維持することができる。
【００４３】
本体ケース５の上面に、補助電極部３が突出状に形成されており、補助電極部３の周囲に穴部４７が形成されている形態を採ることができる。これによれば、手の平を補助電極部３に押し当てながら、穴部４７に手指先を入れるだけで、手指先を作用電極部２に接触させて、スキンケアを行うことができる。従って、使い勝手に優れたスキンケア用器具１を得ることができる。また、作用電極部２と補助電極部３との間隔距離（電流路）を短くして人体の電気抵抗値を小さくすることができるので、より小さな電流で効率的にイオン導入、或いはイオン導出を進めてセルフスキンケアを実行できる。
【００４４】
補助電極部３が、本体ケース５の上面に対して上下動可能に構成されていると、補助電極部３に対する手の平の密着性を高めることができる。従って、補助電極部３に対する手の平の導通状態をより確実に確保できる。
【００４５】
本体ケース５には、作用電極部２および補助電極部３への通電状態をオン・オフするスイッチ４５が設けられており、補助電極部３の上下動によりスイッチがオン・オフ操作されるように構成することができる。これによれば、手の平で補助電極部３を下方に押し下げ操作するだけで、スイッチ４５をオン操作してスキンケアを実行できる。また、手の平を補助電極部３から離すだけで、スイッチ４５をオフ操作して、スキンケア動作をストップすることができる。以上より、穴部４７に手指先を挿入しながら、補助電極部３に手の平を押し当てる手指のセット操作方向と、スイッチ４５のオン操作方向とを一致させることができるので、スイッチ４５のオン操作を意識することなく、スキンケア動作を容易かつ迅速に行うことができ、操作性に優れたスキンケア用器具１を得ることができる。
【図面の簡単な説明】
【００４６】
【図１】本発明の実施例１に係るスキンケア用器具を示す図であり、当該スキンケア用器具を手に装着した状態を示す平面図である。
【図２】スキンケア用器具の斜視図である。
【図３】スキンケア用器具を構成する本体部の構成図である。
【図４】作用電極部の構造を示す縦断側面図である。
【図５】本発明の実施例２に係るスキンケア用器具を示す図であり、当該スキンケア用器具を手指に装着した状態を示す側面図である。
【図６】本発明の実施例３に係るスキンケア用器具を示す図であり、当該スキンケア用器具を手に装着した状態を示す平面図である。
【図７】本発明の実施例４に係るスキンケア用器具を示す図であり、当該スキンケア用器具を手に装着した状態を示す平面図である。
【図８】本発明の実施例５に係るスキンケア用器具を示す図であり、当該スキンケア用器具を手に装着した状態を示す平面図である。
【図９】本発明の実施例６に係るスキンケア用器具を示す図であり、当該スキンケア用器具を手に装着した状態を示す平面図である。
【図１０】本発明の実施例７に係るスキンケア用器具を示す図であり、当該スキンケア用器具を手に装着した状態を示す平面図である。
【図１１】図１０におけるＡ−Ａ線断面図である。
【図１２】本発明の実施例８に係るスキンケア用器具を示す図であり、当該スキンケア用器具の作用電極部を示す平面図である。
【図１３】本発明の実施例９に係るスキンケア用器具を示す図であり、当該スキンケア用器具の作用電極部を示す平面図である。
【図１４】本発明の実施例１０に係るスキンケア用器具を示す平面図である。
【図１５】本発明の実施例１１に係るスキンケア用器具を示す平面図である。
【図１６】本発明の実施例１２に係るスキンケア用器具を示す平面図であり、当該スキンケア用器具に手指を挿入した状態を示している。
【図１７】実施例１２に係るスキンケア用器具の縦断平面図である。
【図１８】実施例１２に係る作用電極部の縦断平面図である。
【図１９】本発明の実施例１３に係るスキンケア用器具を示す図であり、当該スキンケア用器具を足に装着した状態を示す平面図である。
【図２０】本発明の実施例１４に係るスキンケア用器具を示す図であり、当該スキンケア用器具を足に装着した状態を示す平面図である。
【図２１】実施例１４の別実施例を示す図である。
【図２２】実施例１４の別実施例を示す図である。
【発明を実施するための形態】
【００４７】
（実施例１）
図１ないし図４は本発明の実施例１に係るスキンケア用器具を示す。本発明における前後、左右、上下とは、図１、図３、図１６および図１７の交差矢印と、交差矢印の近傍に表記した前後、左右、上下の表示に従う。図１乃至図３においてスキンケア用器具１は、人体の各手指先に装着される計５個の作用電極部２と、人体手首に接触する補助電極部３と、これら作用電極部２と補助電極部３に電流を供給する本体部４とで構成される。本体部４は、四角箱状の本体ケース５内に電源である２次電池６・６と、イオン導入・導出用のパルス電流を生成し、その電位を制御する電流調整回路７（図３参照）などが収容される。本体ケース５の上面には、電源ボタン８と、イオン導入モードとイオン導出モードとの間でモードを切り替えるためのモード切替ボタン９と、イオン導入・導出時の電位を段階的に切り替えるための強弱ボタン１０とが設けられている。符号１１・１１は、電源のオン・オフ状態、或いは電位状態などを表示するための表示ランプを示す。
【００４８】
本体部４の左右の側面には、該本体部４を手首に巻き付け、固定するためのベルト（装着部）１２・１２が設けられている。一方のベルト１２の表面と、他方のベルト１２の裏面のそれぞれには、手首に対して本体部４を着脱自在に装着するための面ファスナー１３・１３が設けられている。以上より、手首のまわりにベルト１２・１２を巻き付けてから、ベルト１２・１２の重なる部分の面ファスナー１３・１３を係合させることにより、本体部４を手首のまわりに装着固定することができる。また、逆の手順で面ファスナー１３・１３の係合を解除することにより、本体部４を手首から取り外すことができる。
【００４９】
図４に示すように、手指先に装着される作用電極部２は、有底筒状（指サック状）に形成されており、開口端から使用者の手指先を挿入するだけで、簡単に手指先に作用電極部２を装着することができる。作用電極部２は、導電性シリコーンゴム、導電性ゴムなどの弾性および導電性を有する素材で構成される。作用電極部２は、弾性のある絶縁材料に、金属粒子などの導電材料を添加してなるものであってもよい。
【００５０】
図１および図２に示すように、各作用電極部２と本体部４との間には、電流調整回路７から送出されたパルス電流を、作用電極部２に伝えるための給電リード１５が設けられている。各給電リード１５は、作用電極部２に対して本体部４に近付く方向（後方向）の付勢力を発揮する捩じりコイル状のばね１６と、ばね１６の両端から延びる前後一対の直線状のワイヤー１７ａ・１７ｂとを一体に備える金属線状体であり、上述の電流の給電機能に加えて、作用電極部２の手指からの不用意な脱落を防ぐための引張り弾性体として機能する。なお、各給電リード１５は、図外の樹脂製の絶縁材で皮膜されている。前側のワイヤー１７ａは、作用電極部２の開口端の上面側に揺動可能な状態で支持されており、後側のワイヤー１７ｂは、本体部４の前面側に揺動可能な状態で支持されている。より詳しくは、ワイヤー１７ａの前端は、作用電極部２の開口端に後方に向かって突出形成された円柱状の連結片１８ａに支持されている（図４参照）。同様に、ワイヤー１７ｂの後端は、本体部４の前側面に前方に向かって突出形成された円柱状の連結片１８ｂに支持されている。なお、本実施例１においては、５本の給電リード１５の長さ寸法は、同寸法に設定されている。
【００５１】
以上のような構成からなる給電リード１５によれば、ばね１６の付勢力により前側のワイヤー１７ａを本体部４に近付く方向（後方向）に変位移行させることができるので、常に作用電極部２の開口端を後方向に引っ張って、手指先の外表面上に作用電極部２の内面が密着された状態を維持できる。つまり、手指先の動きに応じてばね１６が伸縮しながら、常に作用電極部２に後方向の付勢力を付与することができるので、不用意に作用電極部２が前方に移動して、手指先から作用電極部２が抜け外れることを防ぐことができる。また、作用電極部２を介した手指の動きに従動して、ばね１６が伸縮変形し、或いはワイヤー１７ａ・１７ｂが揺動するため、作用電極部２の装着時において手指の自由度が大きく損なわれることは無い。
【００５２】
図３に示すように、本体部４の下方には補助電極部３が設けられている。この補助電極部３は金属等の導電材料を素材とするプレート体であり、作用電極部２と協同してイオン導入・導出用の微弱なパルス電流を人体に供給する。本体部４と補助電極部３との間には、一対のフロートばね１９が介されており、これらフロートばね１９で補助電極部３を支持することにより、補助電極部３は本体部４に対して弾性的に支持されている。つまり、補助電極部３は、本体部４に対して上下方向に昇降可能に浮動支持されている。また、これらフロートばね１９の付勢力を受けて、補助電極部３が下向きに移動付勢されるため、ベルト１２を使った本体部４の手首への装着時において、補助電極部３を手首に密着させることができる。従って、手首との間で良好な導通状態を確保することができる。
【００５３】
以上のように構成したスキンケア用器具１は、以下に説明する要領で、手指先の肌面の手入れ（スキンケア）に使用に供される。まず、ベルト１２を使って手首に本体部４を固定する。このとき、フロートばね１９の付勢力に抗しながら補助電極部３を手首に押し付けることにより、補助電極部３を手首に密着させて、該手首との間で電気的に導通した状態を確立することができる。次に、例えば綿マットを使ってスキンケアの対象となる各手指先に化粧水、美容液などの美容用液を塗布したのち、作用電極部２の開口端から、美容用液が塗布された各手指先を挿入させて、各手指先に作用電極部２を被せ付けて装着する。尤も、予め美容用液が内部に塗布された作用電極部２に対して各手指先を挿入させて、各手指先を被せ付けて装着することで、各手指先の肌面に美容用液を塗布するようにしてもよい。かかる装着作業において、使用者は給電リード１５のばね１６の付勢力に抗しながら、手指先に作用電極部２を被せ付ける。このとき給電リード１５を構成するばね１６が、自然長となる待機姿勢（図２参照）から、伸張姿勢（図１参照）となり、作用電極部２に対して後方向への付勢力を与えることができるので、作用電極部２が前方に移動することを抑えて、不用意に手指先から作用電極部２が抜け外れることを防ぐことができる。
【００５４】
上記のように、手指先に作用電極部２を被せ付けた状態では、給電リード１５を構成するばね１６が伸張姿勢となるため、該ばね１６の付勢力により作用電極部２の内面を手指先の外面（肌面）に密着させることができる（図４参照）。つまり、作用電極部２の内面を、スキンケア対象となる手指先の肌面に密着させることができる。この状態で、電源ボタン８をオン操作して、電流調整回路７を起動し、さらに強弱ボタン１０を調整して、作用電極部２および補助電極部３に印加される電圧を調整する。このとき、手指先の肌面は、作用電極部２に対して美容用液を介して電気的に導通しており、さらに手首が補助電極部３と導通しているため、手指先の肌面には微弱なパルス電流が供給される。なお、イオン導出用のパルス電流を供給して手指先の肌面の微細な汚れを落とす場合と、イオン導入用のパルス電流を供給して保湿成分を肌面に浸透させる場合とでは、作用電極部２と補助電極部３とに供給される電流の極性は逆となり、この極性の変更は、モード切替ボタン９の操作により変更できる。これにて、手指先の肌面に対してイオン導出、或いはイオン導入を行うことができるので、使用者は手指先に対してスキンケアを行うことができる。
【００５５】
上記のように、手指先に作用電極部２を装着した状態では、給電リード１５を構成するばね１６による付勢力が作用電極部２に働くため、不用意に作用電極部２が手指先から抜け外れることを防ぐことができる。また、作用電極部２を介した手指の動きに従動して、ばね１６が伸縮変形し、或いはワイヤー１７ａ・１７ｂが揺動するため、作用電極部２の装着時においても手指の自由度が大きく損なわれることは無い。従って、本実施例に係るスキンケア用器具によれば、スキンケア時に手指先の自由度が損なわれることがなく、例えば読書等をしながらスキンケアを実行することができる。
【００５６】
所定の使用時間が経過して、手指先のスキンケアが終了すると、電源ボタン８をオフ操作したのち、各手指先を作用電極部２から引き抜く。これにて、給電リード１５を構成するばね１６は自由長となり、待機姿勢（図２参照）に復帰する。なお、以上のような、手指先に対するスキンケアは、一つのスキンケア用器具１を用いて片手ずつ行ってもよいし、二つのスキンケア用器具１を用いて両手に対して同時に行ってもよい。また、オートオフ機能を備え、所定時間が過ぎると自動的に電源がオフとなるようにしてもよい。
【００５７】
以上のように、このスキンケア用器具１を用いれば、使用者自身が、その手指先を作用電極部２に接触させた状態で、手指先の肌面に電流を供給することで、手指先のスキンケアを簡単且つ確実に行うことができる。従って、当該スキンケア用器具１は、自宅等で使用されるセルフスキンケア用の美容器具として有用である。
【００５８】
（実施例２）
図５に、本発明の実施例２に係るスキンケア用器具を示す。この実施例２に係るスキンケア用器具１は、一本の手指に対してスキンケアを行うものとした。詳しくは、有底筒状（指サック状）に形成された一つの作用電極部２と、一つの本体部４と、一つの補助電極部３とでスキンケア用器具を構成した。また、本体部４は手首ではなく、手指に装着されるようにした。さらに作用電極部２と本体部４とが、給電リード１５ではなく、スナップボタン形の電極２１を介して着脱自在に構成されるようにした。
【００５９】
より詳しくは、実施例２に係るスキンケア用器具１の本体部４は、ベルト１２により各手指に装着可能に構成されている。このベルト１２は、導電性を有する素材で構成されており、補助電極部３を兼ねている。すなわち、ベルト１２を使って手指に本体部４を固定するだけで、手指との間で電気的な導電状態を確保することができるようになっている。
【００６０】
本体部４と作用電極部２とは、スナップボタン形の電極２１を介して着脱自在に連結されている。具体的には、本体部４の前方下面には、スナップボタンの凹型電極２１ａが設けられ、作用電極部２の上面には、該凹型電極２１ａに係合する凸型電極２１ｂが設けられている。以上より、作用電極部２の凸型電極２１ｂを、本体部４の凹型電極２１ａに圧入して係合することにより、作用電極部２を本体部４に電気的に接続することができる。それ以外の点は、先の実施例１と同様であるので、同一の部材には同様の符号を付して、その説明を省略する。
【００６１】
（実施例３）
図６に本発明の実施例３に係るスキンケア用器具を示す。この実施例３に係るスキンケア用器具１では、作用電極部２を手袋状に形成した点が先の第１実施例と大きく相違する。詳しくは、作用電極部２は、手の平側をカバーする裏面部２３と、手の甲側をカバーする表面部２４と、手指先を挿入するための指部２５とを備える手袋状に形成されている。
【００６２】
手指先の指部２５への挿入を容易にするため、或いは作用電極部２を左右兼用とするために、表面部２４には手の甲が露出する切欠部２６が形成されている。このように表面部２４に切欠部２６が形成されていると、切欠部２６を設けた分だけ指部２５へのアクセス距離を短くすることができるので、手指を指部２５に容易に挿入することができる。従って、手指先の指部２５への挿入性、或いは人体手に対する作用電極部２の着脱性の向上を図ることができる。また、このように表面部２４に切欠部２６が形成されていると、作用電極部２の表裏面の反転が容易となるため、該作用電極部２を左右兼用とすることができる。すなわち、図６には作用電極部２を右手に装着した状態を示しているが、該作用電極部２の表裏面を反転させることで、これを左手に装着することも可能となる。従って、右手、左手のいずれの手にも作用電極部２を装着することが可能となる。また、作用電極部２の表裏面を簡単に反転させることができると、該作用電極部２の清掃が容易になるという利点もある。さらに、切欠部２６を有する表面部２４により手の平側を覆い、裏面部２３で手の甲側を覆うように手袋状の作用電極部２を手に装着した場合には、手の甲に対するスキンケアを行うことができる。すなわち、乾燥等により荒れやすい手の甲に対しても効果的にスキンケアを行うことが可能となる。
【００６３】
さらに、作用電極部２には、切欠部２６に連続して、手指の付け根部分を露出する延出切欠部２７が形成されている。このように延出切欠部２７が設けられていると、該延出切欠部２７の分だけ、手指先の指部２５に対する挿入距離を短くすることができるので、指部２５に対する手指先の挿入性、或いは、人体手に対する作用電極部２の着脱性のさらなる向上を図ることができる。また、作用電極部２の表裏面の反転作業がより容易になるという利点もある。
【００６４】
本体部４から延びる給電リード１５は、樹脂皮膜付きの電線２９と、電線２９の遊端部に設けられたスナップボタンの凹型電極２１ａとを含む。手袋型の作用電極部２の表面部２４には、凹型電極２１ａと係合するスナップボタンの凸型電極２１ｂが設けられている。以上より、給電リード１５側の凹型電極２１ａを、作用電極部２の凸型電極２１ｂと係合させることにより、作用電極部２を本体部４に電気的に接続することができる。それ以外の点は、先の実施例１と同様であるので、同一の部材には同様の符号を付して、その説明を省略する。
【００６５】
（実施例４）
図７に本発明の実施例４に係るスキンケア用器具を示す。この実施例４では、スキンケア用器具を右手用器具１と左手用器具１とで構成した点が、先の実施例３と異なる。このように、スキンケア用器具を右手用器具１と左手用器具１とで構成していると、表裏面を裏返すことなく、両手に対してスキンケアを実行できる。また、切欠部２６を有する表面部２４により手の平側を覆い、裏面部２３で手の甲側を覆うように手袋状の作用電極部２を手に装着した場合には、手の甲に対するスキンケアも簡単に行うことができる。それ以外の点は、先の実施例３と同様であるので、同一の部材には同様の符号を付して、その説明を省略する。
【００６６】
（実施例５）
図８に本発明の実施例５に係るスキンケア用器具を示す。この実施例５では、一つの本体部４から左手用と右手用の両作用電極部２・２に対して電流を供給するようにした点が、先の実施例４と相違する。なお、図８では、右手に装着された本体部４から給電リード１５を介して、左右の両電極部２・２に対して電流が供給されるようにしている。それ以外の点は、先の実施例４と同様であるので、同一の部材には同様の符号を付して、その説明を省略する。
【００６７】
（実施例６）
図９に本発明の実施例６に係るスキンケア用器具を示す。この実施例６では、表面部２４に設けられていた切欠部２６を廃した点が、先の実施例３と相違する。このスキンケア用器具１を用いれば、手指先、および手の甲を作用電極部２に接触させた状態で、手指先、および手の甲の肌面のスキンケアを簡単且つ確実に行うことができる。
【００６８】
（実施例７）
図１０および図１１に本発明の実施例７に係るスキンケア用器具を示す。この実施例７に係るスキンケア用器具１では、表面部２４の手首側の近傍に、左右一対のバンド３０・３１が設けられており、これらバンド３０・３１の間に本体部４が設けられている。詳しくは、一方のバンド３０に本体部４が固定されており、他方のバンド３１に本体部４がスナップボタン形の電極２１を介して着脱自在とされている。
【００６９】
スナップボタン形の電極２１は、先の図６に示したものと同様であり、本体部４の下面に設けられた凹型電極２１ａと、バンド３１の上面に設けられた凸型電極２１ｂとで構成される。そして、本体部４側の凹型電極２１ａを、作用電極部２側（バンド３１側）の凸型電極２１ｂと係合させることにより、作用電極部２を本体部４に電気的に接続することができる。
本実施例に係るスキンケア用器具は、作用電極部２を上下反転させることで、左右兼用とすることができる。すなわち、図１０には、作用電極部２を右手に装着した状態を示しているが、該作用電極部２の上下を反転させることで、これを左手に装着することも可能となる。従って、右手、左手のいずれの手にも作用電極部２を装着することが可能となる。尤も、作用電極部２の上下を反転させて、これを左手に装着した場合には、裏面部２３が手の甲を覆い、表面部２４が手の平を覆うことになる。従って、手の甲に対するスキンケアも実行できる。
それ以外の点は、先の実施例１と同様であるので、同一の部材には同様の符号を付して、その説明を省略する。
【００７０】
（実施例８）
図１２に本発明の実施例８に係るスキンケア用器具を示す。このスキンケア用器具１では、作用電極部２の裏面部２３（手の平側をカバーする裏面部２３）、および指部２５に、加熱用のヒーター３２が設けられている点が、先の実施例７と相違する。このようにヒーター３２が設けられていると、スキンケア時に手の平、および手指先を温めることによる血行促進、或いは温熱刺激などの保温ケア効果が期待できる。加えて、手指先、或いは手の平を温めるともに、美容用液を温めて、該美容用液の浸透性を高めることができるので、より効果的にスキンケアを行うことができる点でも優れている。本実施例に係るスキンケア用器具の電源としては、電池６に換えて商用電源を使用している。それ以外の点は、先の実施例７と同様であるので、同様の部材には同一の符号を付して、その説明を省略する。
【００７１】
（実施例９）
図１３に本発明の実施例９に係るスキンケア用器具を示す。このスキンケア用器具１では、作用電極部２の裏面部２３のヒーター３２を廃して、カイロ３３挿入用のポケット３４を設けた点が、先の実施例８と相違する。それ以外の点は、先の実施例８と同様であるので、同様の部材には同一の符号を付して、その説明を省略する。
【００７２】
（実施例１０）
図１４に本発明の実施例１０に係るスキンケア用器具を示す。このスキンケア用器具１では、作用電極部２に６本の指部２５を設けた点が先の実施例３と相違する。それ以外の点は、先の実施例３と同様であるので、同様の部材には同一の符号を付して、その説明を省略する。このように、作用電極部２に６本の指部２５が設けられていると、該作用電極部を左右兼用（左手・右手兼用）とすることができる。すなわち、表裏面を反転させることなく、該作用電極部２を右手、左手の両方の手に装着することが可能となる。反転させることなく手の甲に対するスキンケアも実行できる。
【００７３】
（実施例１１）
図１５に本発明の実施例１１に係るスキンケア用器具を示す。このスキンケア用器具１では、作用電極部２を５本の手指が同時に入る袋状とした点が、先の実施例３と大きく相違する。作用電極部２の表面部２４（手の甲側をカバーする表面部２４）には、その後方開口縁から前方に向かって半円状の切欠き３６が凹み形成されており、該切欠き３６の前方縁と本体部４との間には、作用電極部２の手指からの不用意な脱落を防ぐためのバンド３７が設けられている。バンド３７は、伸縮性のある素材で形成されている。符号３８は、バンド３７の前端に設けられて、作用電極部２の表面部２４に係合する面ファスナーを示す。以上のような構成からなるスキンケア用器具１によれば、作用電極部２を一つの袋状としたので、作用電極部２に対する手指の挿入が容易となり、より簡単にセルフスキンケアを実行することが可能となる。なお、作用電極部２の形状としては、親指の入る部分と、残りの４本の指が入る袋部分とを一体に備えるミトン状としてもよい。
【００７４】
（実施例１２）
図１６乃至図１８に本発明の実施例１２に係るスキンケア用器具を示す。本実施例では、卓上型のスキンケア用器具１とした点が、先の実施例１〜１１と大きく異なる。具体的にはこのスキンケア用器具１は、机上４０に載置されるブロック状の本体ケース５と、該本体ケース５の上面に突出状に設けられて手の平が載せられる補助電極部３と、補助電極部３を囲むように配された作用電極部２と、電源である２次電池６・６と、イオン導入・導出用のパルス電流を生成し、その電位を制御する電流調整回路（電流供給部）７などで構成される。２次電池６・６、および電流調整回路７などは、本体ケース５内に内蔵されている。本体ケース５の側面には、電源ボタン８、モード切替ボタン９、強弱ボタン１０などが設けられている。本体ケース５の上面には表示ランプ１１が設けられている。
【００７５】
本体ケース５は、２次電池６・６、および電流調整回路７などが内蔵される中空のハウジング４１と、ハウジング４１の上方後端部に設けられたヒンジ４２を中心に揺動自在に構成されたシートホルダー４３とで構成される。これらハウジング４１とシートホルダー４３は、プラスチックを素材として形成される。シートホルダー４３は、ハウジング４１の上面形状と略同形状に形成されており、ハウジング４１の上面に沿って、該ハウジング４１と協同して含液シートＭを挟持する使用姿勢と、ヒンジ４２を中心に上方に揺動されて、ハウジング４１と分離する開放姿勢との間で変位可能に構成されている。
【００７６】
ハウジング４１の上面の中央部に設けられた補助電極部３は、金属、或いは導電性ゴムなどの導電性材料を素材として形成された円形ドーム状の成形品であり、その上端部には緩やかな突弧面が形成されている。補助電極部３とハウジング４１との間には、フロートばね１９が介在されており、該フロートばね１９により補助電極部３はハウジング４１に対して上下方向に昇降可能に浮動支持されている。補助電極部３に対応してシートホルダー４３の中央部には、該補助電極部３の上端部を露出させるための円形の開口４４が設けられている。
【００７７】
補助電極部３の下方には、作用電極部２および補助電極部３への通電状態をオン・オフするフロートスイッチ（スイッチ）４５が設けられており、補助電極部３の上下動により、フロートスイッチ４５がオン・オフ操作されるように構成されている。より具体的には、補助電極部３の上端に置かれた手の平によって、フロートばね１９の付勢力に抗して補助電極部３が押し下げ操作されるとフロートスイッチ４５がオンとなり、作用電極部２および補助電極部３に対する通電が行われる。また、押し下げ操作が解除されて、フロートばね１９の付勢力により補助電極部３が押し上げられると、スイッチ４５がオフとなる。符号４６は、補助電極部３の下端に設けられてスイッチ４５をオン・オフ操作するための操作片を示す。
【００７８】
図１６および図１８に示すように、補助電極部３を囲むように、ハウジング４１の上面には計６つの穴部４７が陥没形成されており、各穴部４７の内部に作用電極部２が固定されている。なお、このように計６個の作用電極部２を設けたのは、このスキンケア用器具１を左右兼用とするためである。
【００７９】
各作用電極部２は、導電性シリコーンゴム等の導電性材料を素材として有底筒状（指サック状）に形成されており、その上部に手指先の挿入始端となる上端開口を備える。作用電極部２の内部には、含液シートＭが装着される。各穴部４７に対応して、シートホルダー４３には、含液シートＭを押え保持する円形状の押え窓４８が開口されている。
【００８０】
手指先のスキンケアを行う場合には、シートホルダー４３を開放姿勢としたうえで、美容用液が含浸された含液シートＭを、作用電極部２の内部に手指先などで押し込む。次にシートホルダー４３を使用姿勢にしてハウジング４１の上面に被せ付ける。これにより、含液シートＭの周縁部分が、シートホルダー４３の押え窓４８、および穴部４７の開口周縁に挟持されて遊動不能に固定される。次に、手の平を補助電極部３に押し当てて、各穴部４７の作用電極部２の内部に手指先を挿入する。この状態で、補助電極部３を手の平で押し下げて、フロートスイッチ４５をオン操作することにより、作用電極部２および補助電極部３を介して、作用電極部２内に挿入された手指先の肌面に微弱なパルス電流を供給して、当該肌面に対するスキンケアを実行できる。
【００８１】
スキンケアの終了後は、手の平による補助電極部３に対する押し下げ操作を解除して、フロートスイッチ４５をオフとすることで、手指先に対するパルス電流の供給を停止することができる。また、シートホルダー４３を開放姿勢とすることで、該シートホルダー４３の押え窓と４８と穴部４７の開口周縁による含液シートＭに対する挟持状態を解除することができるので、含液シートＭを作用電極部２から取り外すことができる。
【００８２】
（実施例１３）
図１９に本発明の実施例１３に係るスキンケア用器具を示す。このスキンケア用器具１は、作用電極部２を手指先に換えて足指先に装着するようにして、足用のスキンケア用器具１とした点が、先の実施例１と相違する。それ以外の点は、先の実施例１と同様であるので、同様の部材には同一の符号を付して、その説明を省略する。これによれば、美容用液が塗布された足指先に作用電極部２を被せ付けたうえで、該足指先に電流を流すことで、足指先の肌面に対してイオン導出、或いはイオン導入を行って、足指先に対するスキンケアを行うことができる。
【００８３】
（実施例１４）
図２０に本発明の実施例１４に係るスキンケア用器具を示す。このスキンケア用器具１は、作用電極部２を手袋状に換えて靴下状として、足用のスキンケア用器具１とした点が、先の実施例３と相違する。本実施例における作用電極部２は、各足指用の計５個の指部２５を有する五本指靴下状に形成されている。それ以外の点は、先の実施例３と同様であるので、同様の部材には同一の符号を付して、その説明を省略する。これによれば、美容用液が塗布された足指先に作用電極部２を被せ付けたうえで、該足指先に電流を流すことで、足指先の肌面に対してイオン導出、或いはイオン導入を行って、足指先に対するスキンケアを行うことができる。また、足指先だけでなく、足の裏や足の甲に対してもスキンケアを行うことができる。
【００８４】
なお、当該作用電極部２は、図２１に示すように、親指用の指部２５とそれ以外の足指用の指部２５の計２個の指部２５を有するものであってもよい。図２２に示すように、作用電極部２は、各足指用の指部２５を備えないものであってもよい。
【００８５】
上記の実施例１〜１１、および実施例１４には、美容用液を手指先、或いは足指先に塗り付けることで、該美容用液を手指先等に塗布する形態、或いは美容用液が塗り付けられた作用電極部２に手指先等を挿入することで、美容用液が手指先等に塗布される形態について示したが、本発明はこれに限られず、作用電極部２の内部に美容用液が含浸された含液シートを配置し、作用電極部２の内部に手指先等を挿入することで、含液シートに含浸された美容用液が手指先等に塗布されるものであってもよい。このように、作用電極部２の内部に含液シートを配置すると、より確実に手指先等に美容用液を塗布することができるので、より効果的に手指先等に対するスキンケアを実行することができる。また、より多量の美容用液を含液シートに含ませることができるので、多量の美容用液を手指先等に塗布することに由来するスキンケア効果の向上も期待できる。また、作用電極部２が弾性を有する素材で構成されている場合には、該作用電極部２の内部に配された含液シートを手指先等に確実に密着させることができる。従って、作用電極部２と手指先等との間の導電状態を確実に確保することができる。さらに、作用電極部２が剛性を有する素材（弾性に乏しい素材）で構成されている場合であっても、該作用電極部２の内部に配された含液シートを、手指先等に密着させることができるので、作用電極部２と手指先等との間の導電状態を確実に確保できる利点もある。
上記実施例では、スキンケア用器具は、イオン導出機能とイオン導入機能の両機能を備えるものについて説明したが、イオン導入機能だけ、或いはイオン導出機能だけを備える、単機能の使用であってもよく、この場合には、モード切替ボタン９は不要となる。
【符号の説明】
【００８６】
１  スキンケア用器具
２  作用電極部
３  補助電極部
４  本体部
５  本体ケース
１２  装着部（ベルト）
１５  給電リード
１６  ばね
２３  裏面部
２４  表面部
２６  切欠部
２７  延出切欠部
４５  スイッチ（フロートスイッチ）
Ｍ  含液シート
【図１】
0006444069.tif 000002
【図２】
0006444069.tif 000003
【図３】
0006444069.tif 000004
【図４】
0006444069.tif 000005
【図５】
0006444069.tif 000006
【図６】
0006444069.tif 000007
【図７】
0006444069.tif 000008
【図８】
0006444069.tif 000009
【図９】
0006444069.tif 000010
【図１０】
0006444069.tif 000011
【図１１】
0006444069.tif 000012
【図１２】
0006444069.tif 000013
【図１３】
0006444069.tif 000014
【図１４】
0006444069.tif 000015
【図１５】
0006444069.tif 000016
【図１６】
0006444069.tif 000017
【図１７】
0006444069.tif 000018
【図１８】
0006444069.tif 000019
【図１９】
0006444069.tif 000020
【図２０】
0006444069.tif 000021
【図２１】
0006444069.tif 000022
【図２２】
0006444069.tif 000023